(57)【特許請求の範囲】
【請求項１】
放射板の裏面側に振動装置が設けられ、前記振動装置で発生した振動が前記放射板に伝達され、前記振動が前記放射板から音として放射されるスピーカーであって、前記放射板は気乾材で形成される平板であり、前記振動を前記振動装置から前記放射板に伝達するための伝達部材が前記振動装置と前記放射板との間に設けられ、前記伝達部材は前記放射板の繊維方向と直交する方向で前記放射板の年輪方向の全長にわたって形成されることを特徴とするスピーカー。
【請求項２】
前記伝達部材は前記放射板の中心からずれた位置に設けられていることを特徴とする請求項１に記載のスピーカー。
【請求項３】
前記振動を前記振動装置から前記伝達部材の一点に伝達するための伝達棒が前記振動装置と前記伝達部材との間に設けられることを特徴とする請求項１又は２に記載のスピーカー。
【請求項４】
前記振動装置は前記振動が増幅される増幅板を備えることを特徴とする請求項１乃至３のいずれか一項に記載のスピーカー。
【請求項５】
前記放射板はその裏面が凹凸面に形成されていることを特徴とする請求項１乃至４のいずれか一項に記載のスピーカー。
【発明の詳細な説明】
【技術分野】
【０００１】
本発明は、スピーカーに関するものである。
【背景技術】
【０００２】
従来、パネル状のスピーカーとして各種のものが提案されている。例えば、特許文献１には、発泡プラスチック製の板材にスピーカーを取り付けた発泡プラスチック共鳴装置が記載されている。この装置では、スピーカーから発生した音で板材を振動させ、さらに振動させた板材から音を放射しようとするものである。
【先行技術文献】
【特許文献】
【０００３】
【特許文献１】特開２００２−６４８９８号公報
【発明の概要】
【発明が解決しようとする課題】
【０００４】
しかし、上記の発泡プラスチック共鳴装置では、振動がスピーカーから板材に伝わった後、板材に均一に広がりにくく、音質が低下しやすいという問題があった。
【０００５】
本発明は上記の点に鑑みてなされたものであり、音質が低下しにくいスピーカーを提供することを目的とするものである。
【課題を解決するための手段】
【０００６】
本発明に係るスピーカーは、放射板の裏面側に振動装置が設けられ、前記振動装置で発生した振動が前記放射板に伝達され、前記振動が前記放射板から音として放射されるスピーカーであって、前記放射板は気乾材で形成される平板であり、前記振動を前記振動装置から前記放射板に伝達するための伝達部材が前記振動装置と前記放射板との間に設けられ、前記伝達部材は前記放射板の繊維方向と直交する方向で前記放射板の年輪方向の全長にわたって形成されることを特徴とする。
【０００８】
本発明にあっては、前記伝達部材は前記放射板の中心からずれた位置に設けられていることが好ましい。
【０００９】
本発明にあっては、前記振動を前記振動装置から前記伝達部材の一点に伝達するための伝達棒が前記振動装置と前記伝達部材との間に設けられることが好ましい。
【００１０】
本発明にあっては、前記振動装置は前記振動が増幅される増幅板を備えることが好ましい。
【００１１】
本発明にあっては、前記放射板はその裏面が凹凸面に形成されていることが好ましい。
【発明の効果】
【００１２】
本発明は、放射板が気乾材で形成される平板であるので、振動が気乾材の平板に存在する空気層などを通じて放射板の全体に伝達しやすくなり、放射板からの音の放射が短時間で安定しやすくなって、音質が低下しにくいものである。
【図面の簡単な説明】
【００１３】
【図１】本発明の実施の形態の一例を示す斜視図である。
【図２】（ａ）は樹木の一分を示す断面図、（ｂ）は年輪を示す模式図、（ｃ）は導管を示す模式図である。
【図３】本発明に用いる振動装置の一例を示し、（ａ）は平面図、（ｂ）は側面図である。
【図４】本発明に用いる振動装置の増幅板の他例を示す平面図である。
【図５】本発明に用いる振動装置の他例を示す平面図である。
【図６】本発明に用いる伝達部材と振動装置と伝達棒の一例を示す斜視図である。
【図７】（ａ）及び（ｂ）は振動の伝わり方を示す模式図である。
【図８】（ａ）及び（ｂ）は振動の伝達位置を示す説明図である。
【図９】本発明の放射板の一例を示す一部の斜視図である。
【図１０】本発明の他の実施の形態の一例を示す裏面図である。
【図１１】本発明で用いる放射板の他例を示し、（ａ）及び（ｂ）は一部の斜視図である。
【図１２】本発明で用いる放射板の他例を示す一部の斜視図である。
【発明を実施するための形態】
【００１４】
以下、本発明を実施するための形態を説明する。
【００１５】
図１は、本実施の形態のスピーカー１の一例である。このスピーカー１は放射板２と振動装置３と伝達部材４と伝達棒５とを備えている。
【００１６】
放射板２としては、その全体にスムーズに振動を伝達させるために、気乾材で形成される木製の平板を用いる。木製の平板としては、無垢材、複数の無垢材の薄板が積層された合板、複数の無垢材を組合せた集成材などが例示される。これらの中でも、放射板２は無垢材で形成されることが好ましい。この場合、放射板２の製造時のエネルギーの消費が少なく、環境への負荷を少なくすることができる。さらに好ましくは、放射板２は国産木材の杉や桧の無垢材で形成されることが好ましい。この場合、森林環境の保全や森林の整備に貢献することができる。また放射板２は完全に平らな板である必要はなく、多少反っていたり、表面に小さな凹凸があったりしても良い。
【００１７】
放射板２は気乾材で形成されている。気乾材とは、大気中（空気中）で乾燥させた木材（製材）であって、大気の温度や湿度に応じた一定の含水率で平衡状態になっているものである。さらに、放射板２は気乾材の中でも平衡木材を用いるのが好ましい。平衡木材とは、室内空気環境が機械設備（暖房装置・冷房装置）によって快適な温度・湿度に制御された室内空気環境下で所定の含水率で平衡状態なった気乾材である。
【００１８】
一般的な気乾材は、大気中の相対湿度で刻々と含水率が変化し平衡含水率の状態となった木材であって、地域や１２ヶ月毎に平均平衡含水率は異なる。日本木材学会の公知の資料では、大気中での木材の年間平均平衡含水率は、東京都内では１２％程度、紀伊半島から瀬戸内海の山陽地区では１２％程度、北関東から名古屋〜山陰地区、四国、九州では１３％程度とされている。即ち、気乾材の平均的な平衡含水率は大気中の温度・湿度に平衡した１２％〜１３％程度ということになる。木材は伐採直後で１００％以上の含水率であるが、木材の強さや機能が含水率によって変わる。これは、水が単に吸着されているのではなく、水分子が細胞構造（水素結合）に取り込まれ、細胞構造（水素結合）は紐状（後述の晩材１０２に形成される導管１０４や早材１０３に形成される導管１０６）の親水性が高い多糖質（セルロース、ヘミセルロース）で緊密なかご状に形成されているからである。細胞全体は水（自由水）を通す役割（後述の空気層１０５）を持ち、水分子は水素結合（結合水）によって細胞の一部を構成している。木材の含水率の基準は日本農林規格（ＪＡＳ）によって定められている。例示すれば、製材品（針葉樹）の仕上げ材（人工乾燥処理）はＳＤ１５＝１５％、ＳＤ２０＝２０％であり、集成材は平均値１５％以下であり、フローリング（床板）の天然乾燥の針葉樹は２０％、広葉樹は１７％であり、フローリング（床板）の人工乾燥（機械乾燥）の針葉樹は１５％、広葉樹は１３％である。
【００１９】
出願人は、これまで乾燥木材として流通している日本農林規格（ＪＡＳ）で示された乾燥基準や日本木材学会の公知の資料による気乾材（平衡含水率１２％〜１３％）は、気密度が高く機械設備（暖房装置・冷房装置）が完備された室内空気環境下においては、木材の乾燥はさらに進行して含水率は低下し、収縮して割れたり反ったりすることに着目し、木材の含水率変化を計測する実験を繰り返し行った。その結果、気密度が高く、機械設備（暖房装置・冷房装置）が完備された室内空気環境下では、日本農林規格（ＪＡＳ）で示された乾燥基準や日本木材学会の公知の資料による気乾材（平衡含水率１２％〜１３％）とは大幅に異なる平衡含水率の状態であることを見出した。例示すれば、室内温度２１℃〜２７℃、室内湿度３０％程度の機械設備（暖房装置・冷房装置）によって空気環境が制御された室内空気環境下では木材の平衡含水率は６．１％〜６．２％、室内温度２１℃〜２７℃、室内湿度５０％程度の室内空気環境下では木材の平衡含水率は７．６％〜９．１％である。
【００２０】
放射板２として使用される気乾材は、これまでの日本農林規格（ＪＡＳ）や公共建築木造工事標準仕様書の乾燥品質基準を遵守しながら、前述の含水率６．１％〜１２％程度の急激な含水率の変化に追従できるものであることが好ましい。すなわち、機械設備（暖房装置・冷房装置）によって空気環境が制御された室内空気環境下において平衡状態に達した含水率の乾燥履歴をもつ気乾材（すなわち平衡木材）を放射板２として使用することが好ましい。木材には乾燥履歴現象（ヒステリシス）が存在することは広く知られており含水率が６％以下の乾燥履歴を持った木材は、含水率６．１％〜１２％程度の急激な含水率の変化にたいして、収縮して割れたり反ったりすることはほとんど無い。放射板２に形成される気乾材は、水分をほとんど含まない過乾燥状態の木材（全乾材）から徐々に吸湿させて平衡状態に達した乾燥履歴を持つ気乾材がより好ましい。前述の過乾燥状態の木材（全乾材）から徐々に吸湿させて平衡状態に達した木材は、室内の空気環境（温度や湿度）の急激な変化に対して収縮して割れたり反ったりしにくく、音響効果（音の振動伝播）は、振動装置３から発生した振動が、自由水や過度な水分子に影響されることが少ない。従って、このような気乾材を放射板２として用いると、図２（ｃ）に示した通り、振動が効率よく伝播し、音として放射されやすい。このような放射板２はバイオリンなどの楽器に類似した音響特性を有するものである。放射板２が気乾材でない場合は放射される音の放射が安定しにくいが、気乾材の放射板２であれば、短時間で音の放射が安定しやすくなる。また、気乾材で形成される放射板２は調湿機能を高めながら寸法安定性を高めることができて好ましいものである。
【００２１】
放射板２として用いる気乾材を得るための乾燥方法は、大気中で乾燥させる天然乾燥方法であっても良いし、各種の乾燥機械を使用した人工乾燥方法でも良い。乾燥機械を使用した乾燥方法では、乾燥後に大気中（空気中）に晒して含水率が平衡状態になるまで養生する必要がある。気乾材を得る方法は、天然乾燥方法及び人工乾燥方法のいずれにも限定されない。
【００２２】
放射板２は柾目と板目のいずれの木材（製材）であっても良いが、柾目の方が好ましい。柾目の木材では木目が比較的規則正しく連続している。板目の木材では木目がランダムに現れている。放射板２に伝わった振動は、年輪方向よりも木目方向（繊維方向）の方が伝達しやすい。また放射板２は、年輪方向よりも木目方向において、比ヤング率は高く、内部摩擦は低く、音の早い立ち上がりと安定した振動を得ることができる。図２のように、年輪１００は樹木１０１の横断面（木口面）に現れる輪である。年輪方向Ｘとは複数の年輪１００が並ぶ方向であって、樹木１０１の半径方向である。木目方向（繊維方向）Ｙとは、年輪方向Ｘと直交する方向であり、樹木１０１の軸方向である。図２（ｂ）のように、一年分の年輪１００は晩材１０２と早材１０３とが連続して形成されている。晩材１０２は密度が高くて硬い部分である。早材１０３は密度が低くて柔らかい部分である。図２（ｃ）のように、早材１０３に形成される導管１０６は、晩材１０２に形成される導管１０４よりも空気層１０５の断面積（口径）が大きい。従って、晩材１０２は早材１０３よりも密度が高い。導管１０４、１０６は木目方向Ｙに長く形成されている。また複数の導管１０４，１０６が年輪方向Ｘに並んている。放射板２に伝達された振動（音）は、年輪方向Ｘよりも木目方向Ｙの方が伝達されやすい。また放射板２に伝達された高音領域の振動は、主に、密度の高い晩材１０２の導管１０４を通じて伝達されて放射される。また放射板２に伝達された低音領域の振動は、主に、密度の低い早材１０３の導管１０６を通じて伝達されて放射される。このように木製の放射板２は、高音と低音とがミックスされた振動が発生しやすい。また木製の放射板２は、分割振動や固有振動が少なく、振動が音に効率よく変換される。また木製の放射板２は、適度な粘性を有しており、表面の反発係数は金属製のものより低い。このため、瞬間的な外力による加振と、継続的な外力による励振とのいずれによって放射板２を振動させた場合でも、放射される音は高周波成分の少ない「柔らかい音」になる。
【００２３】
放射板２は適宜の形状に形成されるが、例えば、矩形に形成されている。また、放射板２の大きさは適宜に形成される。矩形の放射板２の場合は、例えば、長手方向の寸法が４２０〜４０００ｍｍ、短手方向の寸法が２１０〜２０００ｍｍ、厚みが３〜３０ｍｍに形成されている。更に具体的には、放射板２は、長手方向の寸法が３０００ｍｍ、短手方向の寸法が１０００ｍｍ、厚みが３０ｍｍに形成される。放射板２の長手方向は繊維方向（木目方向Ｙ）と平行であることが好ましい。また放射板２の短手方向は年輪方向Ｘと平行であることが好ましい。尚、ここでいう平行は厳密な意味での平行でなく、多少、ずれていても良い。放射板２の長手方向は繊維方向と平行であると、放射板２の長手方向に振動が伝わりやすくなり、放射板２の全体に均一に振動が伝わりやすくなる。また、放射板２の比重は、０．３〜０．６５であることが好ましい。
【００２４】
放射板２の表面（音が放射される面）には塗膜が形成されていても良い。これにより、放射板２から放射される音が変化する。例えば、放射板２の表面に木材よりも硬度の高い塗膜が形成されていると、硬くて高い音が放射されやすい。塗膜としては、漆やウレタン塗料などを例示することができる。塗膜は放射板２の全面にわたって設けられていても良いし、一部分に設けられていても良い。
【００２５】
振動装置３は、図３（ａ）及び（ｂ）のように、アクチュエーター３０と増幅板３１とを備えて形成されている。
【００２６】
アクチュエーター３０は、アンプ等から入力された音の電気信号を振動へと変換するものである。アクチュエーター３０は、磁石３０１と、ボイスコイル３０２と、キャップ３０３と、駆動部材３０４とを備えて形成されている。磁石３０１は台座３２の表面のほぼ中心に設けられている。磁石３０１にはその表面に開口する収容溝３０５が設けられている。収容溝３０５は平面視（磁石３０１の表面側から見て）で環状に形成されている。ボイスコイル３０２はリング状に形成されている。ボイスコイル３０２は収容溝３０５に収容されている。キャップ３０３はプラスチック製の厚みの薄い円盤で形成されている。キャップ３０３はボイスコイル３０２が収容溝３０５から脱落しないように保持するものである。キャップ３０３は収容溝３０５の開口を塞ぐように磁石３０１の表面に設けられている。駆動部材３０４はダンボール等の紙製で、円筒等に形成されている。駆動部材３０４の径はボイスコイル３０２の径とほぼ同等に形成されている。駆動部材３０４はキャップ３０３の表面に設けられている。このとき、ボイスコイル３０２の端部の位置と駆動部材３０４の端部の位置とが合致している。すなわち、ボイスコイル３０２の端部と駆動部材３０４の端部とは、キャップ３０３を挟んで対向して配置されている。
【００２７】
増幅板３１はアクチュエーター３０から伝達部材４へ振動をよりスムーズに伝達させるためのものである。増幅板３１は矩形の平板で形成されている。増幅板３１は木製の平板、金属製の平板、プラスチック製の平板などで形成されている。木製の平板としては、無垢材、中密度繊維板（ＭＤＦ）、パーティクルボード、合板、集成材などが例示される。これらの中でも、増幅板３１は無垢材で形成されることが好ましい。また増幅板３１は放射板２と同様に、気乾材で形成されるのが好ましく、平衡木材で形成されるのがさらに好ましい。また増幅板３１の比重も０．３〜０．６５であることが好ましい。さらに増幅板３１は柾目と板目のいずれの木材（製材）であっても良いが、柾目の方が好ましい。また増幅板３１の木目方向は増幅板３１の長手方向と平行であることが好ましく、これにより、増幅板３１の全体に振動が伝わりやすくなる。金属製の平板としては、アルミニウム板などを例示することができる。プラスチック製の平板としては、アクリル板などを例示することができる。また増幅板３１は完全に平らな板である必要はなく、多少反っていたり、表面に小さな凹凸があったりしても良い。
【００２８】
増幅板３１は台座３２と対向して配置されている。振動装置３の長手方向の両端において、増幅板３１の長手方向の端部と台座３２の長手方向の端部とは連結部材３４により連結されている。増幅板３１と連結部材３４、及び台座３２と連結部材３４とは接着等により連結されている。増幅板３１と台座３２の間にはアクチュエーター３０が設けられている。アクチュエーター３０の駆動部材３０４の先端は増幅板３１の裏面（台座３２と対向する面）と接触されている。駆動部材３０４の先端と増幅板３１の裏面は接着していないが、接着されていても良い。尚、増幅板３１は振動を増幅する作用の他に、アクチュエーター３０を保護する働きもある。
【００２９】
増幅板３１の表面には固定台３３が設けられている。固定台３３は木製、金属製、プラスチック製などであって、例えば、円柱状に形成されている。固定台３３は増幅板３１の表面の中心に設けられている。固定台３３の円形の底面は増幅板３１の表面に接着されている。
【００３０】
固定台３３には伝達棒５が設けられている。伝達棒５は木製、金属製、プラスチック製などの棒材で形成されている。伝達棒５は固定台３３の直径よりも小径に形成されており、例えば、直径５〜９ｍｍに形成されている。伝達棒５は固定台３３にその先端面の中心から差し込んで固定されている。伝達棒５の先端は固定台３３の先端面の中心から突出している。
【００３１】
振動装置３は音の電気信号に基いて振動を発生させるものである。すなわち、アンプ等から電気信号がアクチュエーター３０のボイスコイル３０２に入力されて電流が流れると、ボイスコイル３０２が磁石３０１の磁性の影響で振動する。ボイスコイル３０２はキャップ３０３を介して駆動部材３０４に接触しているので、ボイスコイル３０２の振動は駆動部材３０４に伝達される。駆動部材３０４は増幅板３１に接触しているので、駆動部材３０４の振動は増幅板３１に伝達される。そして増幅板３１の振動とともに伝達棒５も振動する。このようにして振動装置３で振動が発生させることができる。
【００３２】
増幅板３１の振動する部分の長手方向の寸法（振動幅）Ｈは、二つの連結部材３３の間の寸法と同じである。この振動幅Ｈはボイスコイル３０２の直径Ｄよりも大きく形成されている。従って、ボイスコイル３０２の振動が増幅板３１に伝達した場合に、増幅板３１のほぼ全体が振動して、ボイスコイル３０２の振動の振動幅（直径Ｄと同じ）よりも大きくなる。このようにしてボイスコイル３０２の振動の振動幅が増幅板３１で増幅される。
【００３３】
増幅板３１は材質や寸法や振動幅Ｈ等によって、放射板２から放射される音量や音域が変更される。例えば、図４のように、増幅板３１に設けられた複数のスリット３１２により音量や音域が変更される。そして、増幅板３１は材質や板厚やスリット３１２の本数や大きさなどにより振動幅Ｈが変更され、放射板２から放射される音量や音域が調整可能となる。
【００３４】
上記の振動装置３は平面視で矩形状に形成されているが、これに限らない。例えば、図５のように、平面視で円形の振動装置３であってもよい。この場合、台座３２が円板となり、増幅板３１の長手方向の端部が円弧状になり、連結部材３４が湾曲して形成されているが、その他の構成は図３に示す振動装置３と同じである。
【００３５】
伝達部材４は振動装置３から放射板２へ振動をよりスムーズに伝達させるためのものである。図６のように、伝達部材４は矩形の平板や角材などで形成されている。伝達部材４は木製、金属製、プラスチック製などで形成されている。木製の伝達部材４としては、無垢材、中密度繊維板（ＭＤＦ）、パーティクルボード、合板、集成材などが例示される。これらの中でも、伝達部材４は無垢材で形成されることが好ましい。また伝達部材４は放射板２と同様に、気乾材で形成されるのが好ましく、平衡木材で形成されるのがさらに好ましい。また伝達部材４の比重も０．３〜０．６５であることが好ましい。さらに伝達部材４は柾目と板目のいずれの木材（製材）であっても良いが、柾目の方が好ましい。また伝達部材４の木目方向Ｙは伝達部材４の長手方向と平行であることが好ましく、これにより、伝達部材４の全体に振動が伝わりやすくなる。金属製の伝達部材４としては、アルミニウム板などを例示することができる。プラスチック製の伝達部材４としては、アクリル板などを例示することができる。また伝達部材４は完全に平らな板である必要はなく、多少反っていたり、表面に小さな凹凸があったりしても良い。
【００３６】
伝達部材４の長手方向の寸法は、放射板２の短手方向の寸法と同等かやや短く形成することができる。また伝達部材４の短手方向の寸法は１２〜１００ｍｍ、好ましくは２０ｍｍ、伝達部材４の厚さは９〜２０ｍｍ、好ましくは１５ｍｍとすることができるが、これらに限定されるものではない。
【００３７】
そして、本実施の形態のスピーカー１は、放射板２と伝達部材４と振動装置３とを一体化することにより形成される。伝達部材４は放射板２の裏面に接着等により取り付けられる。この場合、伝達部材４はその長手方向が放射板２の長手方向、すなわち繊維方向（木目方向Ｙ）と直交するように設けられる。また伝達部材４は放射板２の短手方向、すなわち年輪方向Ｘの全長にわたって設けられる。本明細書において、「直交」とは厳密な意味で用いられるものではなく、９０°から多少ずれて交わっていても良い。また「平行」とは厳密な意味で用いられるものではなく、ほぼ平行であれば良い。また「全長」とは厳密な意味で用いられるものではなく、完全な全長から多少長かったり短かったりしても良い。振動装置３は伝達部材４の裏面側（放射板２と接着していない面の方）に設けられる。この場合、図６のように、伝達部材４の長手方向の略中央部には結合孔４１が設けられており、結合孔４１に振動装置３の伝達棒５を差し込むようにしている。伝達部材４と伝達棒５とは接着しても良いし、接着しなくても良い。
【００３８】
一枚の放射板２に対しては複数の振動装置３を設けることも可能ではあるが、一枚の放射板２に対しては一個の振動装置３を設けることが好ましい。複数の振動装置３を設けると、各振動装置３から生じる振動が相互に干渉しあって、放射板２の全体に音が均一に広がりにくくなったり、音質が低下したりする場合がある。
【００３９】
このようなスピーカー１は、振動装置３のアクチュエーター３０で発生した振動が増幅板３１と固定台３３及び伝達棒５に伝達され、この振動が伝達棒５から伝達部材４に伝達され、さらに伝達部材４から放射板２へと伝達される。そして、放射板２に伝達された振動が音として空気中に放射され拡散されるものである。上記のように伝達棒５から伝達部材４に伝達される場合、点音源として、すなわち振動が一点に集中的に伝達されるものである。この場合、広い音域が広い指向性で均等に音が放射される。
【００４０】
ここで、スピーカー１は伝達部材４によって放射板２の全体に振動が均一に伝達しやすくなり、音質が低下しにくいものである。すなわち、図７（ａ）のように、伝達部材４がない場合では、放射板２と振動棒５が直接接続されるため、放射板２の一点に集中的に振動が供給され、ここから徐々に振動が放射板２の全体へと伝達していくことになる。従って、放射板２の木目方向（繊維方向）Ｙには振動は広がりやすいが、年輪方向Ｘには振動は広がりにくく、音の放射領域Ｓは小さくなる。一方、図７（ｂ）のように、伝達部材４がある場合は、放射板２と振動棒５が伝達部材４を介して接続されるため、伝達部材４の一点に集中的に振動が供給された後、この振動が伝達部材４の全長にわたって伝達され、ここから徐々に振動が放射板２の全体へと伝達していくことになる。従って、伝達部材４により、放射板２の年輪方向Ｘに振動が伝わりやすくなって、音の放射領域Ｓが大きくなる。
【００４１】
また放射板２の平面視において、伝達棒５の位置は放射板２の中心Ｏよりもずれた位置に設定するのが好ましい。これにより、振動装置３から生じた振動が共振したり増強したりを回避され、音質が低下しにくくなる。
【００４２】
放射板２の平面視における伝達棒５の位置は、以下のようにして設定するのが好ましい。まず、図８（ａ）のように、放射板２の平面視において、放射板２を長手方向に１／３の部分に区分し、短手方向にも１／３の部分に区分する。このようにして形成される９個のブロックのうち、真ん中に位置するブロックＢをさらに長手方向で１／３の部分に区分し、短手方向で１／３の部分に区分する。そして、ブロックＢの９個に区分されたブロックのうち、真ん中のブロックＣの短辺Ｃ１又はＣ２のいずれかの位置に伝達棒５が位置するのが好ましい。また図８（ｂ）のように、伝達部材４は短辺Ｃ１又はＣ２の位置を通るようにして設けるのが好ましい。
【００４３】
そして、本実施の形態のスピーカー１は、次のような効果を奏する。放射板２や伝達部材４や増幅板３１として、気乾材を用いることで、室内の空気環境の変化に順応し、割れや変形が起こりにくくなる。また木製の部材を主に用いることによって、静電気を帯電しないので、電気的なストレスが生じにくくなる。また放射板２の細胞構造（導管）に空気層１０５を多く含むことから、放射板２から放射された音には高周波成分の少ない「柔らかな音」になりやすい。また細胞構造に基づく微妙な凹凸が放射板２にあるため、光が乱反射を繰り返すことで、紫外線が吸収され、グレア（まぶしさ）を軽減することができ、目が疲れにくい。また親水性の高い細胞構造が常に保水状態が一定になるように分子レベルで平衡状態となる「調湿機能」があり、設置された室内が快適となりやすい。また木材には人の心を落ち着かせてくれる独特の香りがあるので、音ともに疲労やストレスの軽減になりやすく、リラックス感が得られやすい。木目には年輪があり、年輪幅は一定ではないので、自然環境により成育条件が異なる年輪の間隔に１／ｆゆらぎが存在すると考えられる。このゆらぎが人に自然な深みのあるイメージを与えやすい。また木材を利用することで、二酸化炭素の固定や森林環境の保全に貢献できる。またエンクロージャーが必要でなく、定常波が発生せず、音質の悪化を低減することができる。
【００４４】
図９に放射板２の他例が示されている。この放射板２は、種類の異なる複数の放射板部材２１，２２、２３を組合せて形成されている。ここで、種類が異なるとは、塗膜の有無や材質が異なったり、厚みが異なっていたりすることを例示することができる。また板目材と柾目材との組合せても良い。このような放射板２では、単一の材料や厚みで形成された放射板２よりも多彩な音を放射することができる。
【００４５】
図１０及び１１には放射板２の異なる他のスピーカー１が示されている。この放射板２ではその裏面に複数の溝２５が形成されている。これにより、溝２５を設けた放射板は凹凸面として形成され、平板の放射板２に比べて、音の放射面が増えることになり、低音が放出しやすくなる。従って、ウーファー用のスピーカーとして好適に用いられるものである。溝２５の幅寸法は３〜４ｍｍ、溝２５の深さは３〜１０ｍｍ、隣り合う溝２５の間隔は１２〜３０ｍｍとすることができるが、これらに限定されるものではない。また溝２５はその長手方向が放射板２の長手方向、すなわち繊維方向（木目方向Ｙ）と直交するように設けられる。また溝２５は放射板２の短手方向、すなわち年輪方向Ｘの全長にわたって設けられる。
【００４６】
図１２には放射板２の他例が示されている。この放射板２５は低音放射部２６と高中音放射部２７とから構成されている。低音放射部２６は高中音放射部２７に比べて板厚が大きく、上記と同様の複数の溝２５が設けられている。高中音放射部２７の長手端部の両側に低音放射部２６が設けられている。伝達部材４は低音放射部２６と高中音放射部２７とにわたって配設される。例えば、低音放射部２６は比重０．４〜０．６で杉板柾目の比較的密度の低い部分を多く含み、高中音放射部２７は比重０．３〜０．６５の木材、好ましくは桧材や杉板板目の比較的密度の高い部分を多く含むのが好ましい。
【００４７】
このように低音域と高中音領域との放射のバランスを考慮した放射板２を形成することができる。尚、上記のように、放射板２５の裏面を凹凸面に形成するにあたって、複数の溝２５を形成する場合の他に、複数の棒状部材を裏面に設けることによって、放射板２５の裏面を凹凸面に形成することも考えられる。
【符号の説明】
【００４８】
１  スピーカー
２  放射板
３  振動装置
４  伝達部材
５  伝達棒
３１  増幅板
【要約】
【課題】音質が低下しにくいスピーカーを提供する。
【解決手段】本発明のスピーカー１は放射板２の裏面側に振動装置３を設けられる。前記振動装置３で発生した振動が前記放射板２に伝達される。前記振動が前記放射板２から音として放射される。前記放射板２は気乾材で形成される平板である。
【選択図】図１【図１】
0005457600.tif 000002
【図２】
0005457600.tif 000003
【図３】
0005457600.tif 000004
【図４】
0005457600.tif 000005
【図５】
0005457600.tif 000006
【図６】
0005457600.tif 000007
【図７】
0005457600.tif 000008
【図８】
0005457600.tif 000009
【図９】
0005457600.tif 000010
【図１０】
0005457600.tif 000011
【図１１】
0005457600.tif 000012
【図１２】
0005457600.tif 000013